【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
画像を回転または反転した後に、前記画像の解像度を変換する画像処理方法であって、
解像度を変換する際に、変換後の画像に対応する領域が変換後の画素の一部を複数含む場合、該領域に全て含まれる画素に加えて、該領域に一部が含まれる画素のうち少なくとも１つの画素を、変換後の画像として使用することを特徴とする画像処理方法。
【請求項２】
請求項１に記載の画像処理方法において、
解像度を変換する際に、変換後の画像に対応する領域が変換後の画素の一部を複数含む場合、該領域に全て含まれる画素に加えて、該領域に一部が含まれる画素のうち少なくとも１つの画素を、変換前における画像を表す座標の原点に近い方の画像として使用することを特徴とする画像処理方法。
【請求項３】
請求項１又は請求項２に記載の画像処理方法において、
画像データを任意の方向に対して、９０度の回転、１８０度の回転、左右の反転、上下の反転、のうちの少なくとも１つを行うことを特徴とする画像処理方法。
【請求項４】
画像を回転または反転した後に、前記画像の解像度を変換する画像処理装置であって、
解像度を変換する際に、変換後の画像に対応する領域が変換後の画素の一部を複数含む場合、該領域に全て含まれる画素に加えて、該領域に一部が含まれる画素のうち少なくとも１つの画素を、変換後の画像として使用する手段を備えたことを特徴とする画像処理装置。
【請求項５】
請求項４に記載の画像処理装置において、
解像度を変換する際に、変換後の画像に対応する領域が変換後の画素の一部を複数含む場合、該領域に全て含まれる画素に加えて、該領域に一部が含まれる画素のうち少なくとも１つの画素を、変換前における画像を表す座標の原点に近い方の画像として使用することを特徴とする画像処理装置。
【手続補正２】
【補正対象書類名】明細書
【補正対象項目名】発明の名称
【補正方法】変更
【補正の内容】
【発明の名称】画像処理方法及び画像処理装置
【手続補正３】
【補正対象書類名】明細書
【補正対象項目名】０００１
【補正方法】変更
【補正の内容】
【０００１】
本発明は、画像データをインターフェースを介して転送し、指定の媒体で出力する際に必要な画像処理方法及び画像処理装置に関するものである。
【手続補正４】
【補正対象書類名】明細書
【補正対象項目名】０００６
【補正方法】変更
【補正の内容】
【０００６】
ここで問題になるのは、解像度変換の前に回転処理などが行なわれた場合には、元画像データの配置が変化するので、解像度変換後のデータの輪郭が著しく変わるということである。
例えば、図２（１）の画素“２２”の位置は、右９０度回転すると図２（２）の画素“３２”の位置に変更される。このデータに関して同様な解像度変換を行なった場合には、回転前には偶数ライン、偶数列に位置していた画素が、回転により偶数ライン、奇数列に位置することにより、図２（４）のようにデータの輪郭が変わってしまう。同様に２００ｄｐｉで計算してみると、回転後の配置の変更により図２（６）のような結果となり、回転なしの図２（５）の図形と全く異なる画像となってしまう。
この問題を解決するには、画像の回転処理を解像度変換した後に行なうという方法が考えられるが、現状では、画像データの解像度よりもプリンタ等の出力装置の解像度の方が高い傾向にあるので、解像度変換してデータ量が増大したデータに対し、画像回転処理を行なった場合には、著しく性能が劣化するという問題が発生する。
本発明は、出力方法によって出力結果に差が生じることのない画像処理方法及び画像処理装置を提供することを目的とする。
【手続補正５】
【補正対象書類名】明細書
【補正対象項目名】０００７
【補正方法】変更
【補正の内容】
【０００７】
上記目的を達成するために、請求項１記載の発明は、画像を回転または反転した後に、前記画像の解像度を変換する画像処理方法であって、解像度を変換する際に、変換後の画像に対応する領域が変換後の画素の一部を複数含む場合、該領域に全て含まれる画素に加えて、該領域に一部が含まれる画素のうち少なくとも１つの画素を、変換後の画像として使用することを特徴とする。
請求項２記載の発明は、請求項１に記載の画像処理方法において、解像度を変換する際に、変換後の画像に対応する領域が変換後の画素の一部を複数含む場合、該領域に全て含まれる画素に加えて、該領域に一部が含まれる画素のうち少なくとも１つの画素を、変換前における画像を表す座標の原点に近い方の画像として使用することを特徴とする。
請求項３記載の発明は、請求項１又は請求項２に記載の画像処理方法において、画像データを任意の方向に対して、９０度の回転、１８０度の回転、左右の反転、上下の反転、のうちの少なくとも１つを行うことを特徴とする。
請求項４記載の発明は、画像を回転または反転した後に、前記画像の解像度を変換する画像処理装置であって、解像度を変換する際に、変換後の画像に対応する領域が変換後の画素の一部を複数含む場合、該領域に全て含まれる画素に加えて、該領域に一部が含まれる画素のうち少なくとも１つの画素を、変換後の画像として使用する手段を備えたことを特徴とする。
請求項５記載の発明は、請求項４に記載の画像処理装置において、解像度を変換する際に、変換後の画像に対応する領域が変換後の画素の一部を複数含む場合、該領域に全て含まれる画素に加えて、該領域に一部が含まれる画素のうち少なくとも１つの画素を、変換前における画像を表す座標の原点に近い方の画像として使用することを特徴とする。
【手続補正６】
【補正対象書類名】明細書
【補正対象項目名】０００８
【補正方法】変更
【補正の内容】
【０００８】
本発明によれば、画像を回転または反転した後に、画像の解像度を変換する際に、変換後の画像に対応する領域が変換後の画素の一部を複数含む場合、領域に全て含まれる画素に加えて、領域に一部が含まれる画素のうち少なくとも１つの画素を、変換後の画像として使用することで、出力結果が異なることがなくなり、更に同じ出力結果を得るために、出力に時間が掛かるようになるといったような処理性能の劣化も防ぐことができる。
【手続補正７】
【補正対象書類名】明細書
【補正対象項目名】００１０
【補正方法】変更
【補正の内容】
【００１０】
第１実施例を図３を用いて説明する。まず原稿サイズが縦方向の画像データを、用紙排出方向が横方向の画像出力装置に出力する場合には、画像回転部で画像データを右９０度回転しなければならない。
また、図３（１）から解像度変換して図３（３）の結果を得るための計算方法、および図３（１）を右９０度回転して、それから解像度変換して図３（４）の結果を得るための計算方法は、前述した従来の計算方法と同様である。
図３（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【手続補正８】
【補正対象書類名】明細書
【補正対象項目名】００１２
【補正方法】変更
【補正の内容】
【００１２】
第２実施例を図４を用いて説明する。まず原稿サイズが横方向の画像データを、用紙排出方向が縦方向の画像出力装置に出力する場合には、画像回転部で画像データを左９０度回転しなければならない。
また、図４（１）から解像度変換して図４（３）の結果を得るための計算方法、および図４（１）を左９０度回転して、それから解像度変換して図４（４）の結果を得るための計算方法は、前述の従来の計算方法と同様である。
図４（５）に示す発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【手続補正９】
【補正対象書類名】明細書
【補正対象項目名】００１４
【補正方法】変更
【補正の内容】
【００１４】
第３実施例を図５を用いて説明する。まず画像データを逆向きに印刷する封筒印刷を行なった場合には、画像回転部で画像データを１８０度回転しなければならない。
また、図５（１）から解像度変換して図５（３）の結果を得るための計算方法、および図５（１）を１８０度回転して、それから解像度変換して図５（４）の結果を得るための計算方法は、前述した従来の計算方法と同様である。
図５（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【手続補正１０】
【補正対象書類名】明細書
【補正対象項目名】００１６
【補正方法】変更
【補正の内容】
【００１６】
第４実施例を図６を用いて説明する。まず画像データを左右反転させて印刷するミラー印刷を行なう場合には、画像回転部で画像データを左右反転（Ｘ方向に関して逆順）させなければならない。
また、図６（１）から解像度変換して図６（３）の結果を得るための計算方法、および図６（１）を左右反転させて、それから解像度変換して図６（４）の結果を得るための計算方法は、前述した従来の計算方法と同様である。
図６（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【手続補正１１】
【補正対象書類名】明細書
【補正対象項目名】００１８
【補正方法】変更
【補正の内容】
【００１８】
第５実施例を図７を用いて説明する。まず画像データを上下反転させて印刷する場合には、画像回転部で画像データを上下反転（Ｙ方向に関して逆順）させなければならない。
また、図７（１）から解像度変換して図７（３）の結果を得るための計算方法、および図７（１）を上下反転して、それから解像度変換して図７（４）の結果を得るための計算方法は、前述した従来の計算方法と同様である。
図７（５）に示す本発明の計算方法に関して説明する。計算式は、以下のように従来の計算式と同様である。
Ｘ方向：Ｄｘ＝Ｓｘ×ＤＷ÷ＳＷ
Ｙ方向：Ｄｙ＝Ｓｙ×ＤＨ÷ＳＨ
上記の式に、ＤＷ＝ＤＨ＝６、ＳＷ＝ＳＨ＝４を与えＳｘ、Ｓｙを１から代入して計算すると以下のようになる。
Ｘ方向：
Ｓｘ＝１の場合：１×６÷４＝１．５
Ｓｘ＝２の場合：２×６÷４＝３
Ｓｘ＝３の場合：３×６÷４＝４．５
Ｓｘ＝４の場合：４×６÷４＝６
Ｙ方向：
Ｓｙ＝１の場合：１×６÷４＝１．５
Ｓｙ＝２の場合：２×６÷４＝３
Ｓｙ＝３の場合：３×６÷４＝４．５
Ｓｙ＝４の場合：４×６÷４＝６
【手続補正１２】
【補正対象書類名】図面
【補正対象項目名】図６
【補正方法】変更
【補正の内容】
【図６】
2005064978.tif 000001
【手続補正１３】
【補正対象書類名】図面
【補正対象項目名】図７
【補正方法】変更
【補正の内容】
【図７】
2005064978.tif 000002